(57)【特許請求の範囲】
【請求項１】
被取付部材の開口部に開閉可能に取付けられる開閉部材のロック装置であって、
前記被取付部材又は前記開閉部材の一方に取付けられるハウジングと、
このハウジングに回転可能に取付けられるロータと、
該ロータに取付けられると共に、同ロータに連動してスライドし、前記被取付部材又は前記開閉部材の他方の係合部に係脱するロッドと、
前記ロータに設けられた受部と、
前記ロッドを前記係合部に向けて係合するように、前記ロータを直接又は前記ロッドを介して回動付勢するリターンスプリングと、
前記ハウジングに回動可能に取付けられ、その一端が把持部をなすノブと、
該ノブの他端に形成されて、前記受部に所定の掛かり代で重なり、前記ノブの把持部を引くことにより前記受部を押圧し、前記リターンスプリングの付勢力に抗して前記ロータを回転させて、前記ロッドを前記係合部から引き出す押圧子とを備え、
前記ロッドが前記係合部に係合した状態で、前記ノブの回動中心は、前記受部と前記押圧子との接点よりも、前記ノブの把持部側に位置するように設定されており、
前記ノブは、正面壁と、該正面壁の両側からハウジング側に向けて突設された一対の側壁とを有し、該一対の側壁には前記正面壁側に中心を有する円弧状溝が形成され、前記ハウジングには、該円弧状溝に挿入される、円弧状又は複数のピン状の突起が形成されており、前該円弧状溝の中心を回動中心として前記ノブが回動するように構成されていることを特徴とする開閉部材のロック装置。
【請求項２】
前記ハウジングに対して前記ノブを引いて前記係合部から前記ロッドを引き出すとき、前記受部に対する前記押圧子の掛かり代が、前記ロッドが前記係合部に係合した初期状態での掛かり代よりも減少しない回動範囲内で、前記ノブの回動が停止すると共に、前記係合部から前記ロッドが引き出されるように構成されている請求項１記載の開閉部材のロック装置。
【請求項３】
前記ハウジングに対して前記ノブを引いて前記係合部から前記ロッドを引き出すとき、前記受部と前記押圧子との接点が、前記ノブの回動中心を通り前記ロータの回転軸と平行な線を越えない回動範囲内で、前記ノブの回動が停止すると共に、前記係合部から前記ロッドが引き出されるように構成されている請求項２記載の開閉部材のロック装置。
【請求項５】
前記ノブには、キーシリンダが回動可能に装着されており、前記キーシリンダの先端には前記キーシリンダの回動中心に対して偏心して突出した突起が設けられ、該突起は、所定の回動位置で前記ハウジングのロック部に係合して、前記ノブを引くことができなくなるように構成されており、前記ハウジングのロック部は、前記ロータに隣接した位置に配置されている請求項１〜３のいずれか１つに記載の開閉部材のロック装置。
【発明の詳細な説明】
【技術分野】
【０００１】
本発明は、例えば、自動車のインストルメントパネル等の開口部に、開閉可能に取付けられるリッド等の開閉部材を開閉ロックするための、開閉部材のロック装置に関する。
【背景技術】
【０００２】
例えば、自動車のインストルメントパネル等にはグローブボックスが配設されており、このグローブボックスの開口部に対してリッドが開閉可能に取付けられている。そして、グローブボックスの開口部に対してリッドを閉じた状態にロックすると共に、開口部からリッドを開いた状態とするためのロック装置が設けられている。【０００３】
例えば、下記特許文献１には、リッドの裏側に固定されるリテーナと、該リテーナの裏面側に回動可能に軸支されたロータと、このロータの点対称位置に連結され、先端部がリッドの両側からそれぞれ出没可能に支持された一対のロッドと、前記リテーナの表側に押し引き可能に取付けられて、該押し引き操作によって前記ロータを回動させるノブと、ロッドがリッド両側から突出する方向に常時回動付勢するリターンスプリングとを備え、ノブを押し引き操作することにより、ロータがリターンスプリングに抗して回動し、ロッドがリッド内に引き込むように構成されているサイドロック装置が記載されている。【０００４】
図１２を併せて参照すると、前記ノブ１は、その先端部両側から軸孔を設けた一対の支持片２が突設されており、これらの一対の支持片２の軸孔２ａに、前記リテーナの両側から突出した支軸がそれぞれ挿入され、回動中心Ｃ１を中心にして、リテーナにノブ１が回動可能に取付けられるようになっている。また、前記ノブ１の先端部であって、一方の支持片２の内側近傍には、同支持片２の軸孔２ａに整合する位置に、押圧子３が突設されている。すなわち、ノブ１を側面から見たときに、前記押圧子３と前記軸孔２ａとがほぼ同軸上に設けられている。一方、前記ロータ４には受部５が突設されており、これに前記押圧子３が所定の掛かり代Ｌで重なった状態となっている。そして、図１２の想像線で示すようにノブ１を引くと、押圧子３がロータ４の受部５を押圧して、リターンスプリングの付勢力に抗して、ロータ４が回転中心Ｃ２を中心に回動するようになっている。
【先行技術文献】
【特許文献】
【０００５】
【特許文献１】特開２００７−１００３４３号公報
【発明の概要】
【発明が解決しようとする課題】
【０００６】
上述したように、特許文献１のサイドロック装置においては、押圧子３と軸孔２ａとがほぼ同軸上に設けられているので、ノブ１を回転させて押圧子３が受部５を押圧して、ロータ４を回転させていくと、それに伴って、受部５に対する押圧子３の掛かり代Ｌが、次第に減少するようになっている。この場合、押圧子３が受部５から外れてしまって、ロータ４を回動させることができなくなる虞れがあった。【０００７】
上記問題を解消するには、押圧子３若しくは受部５の長さを長くして、押圧子３と受部５との掛かり代Ｌを長く確保すればよいが、この場合には、ノブ１やロータ４が厚くなり装置全体が厚くなるという不都合が生じる。【０００８】
したがって、本発明の目的は、ノブ回動時における、押圧子と受部との掛かり代の減少を防止すると共に、装置の薄型化を図ることができる、開閉部材のロック装置を提供することにある。
【課題を解決するための手段】
【０００９】
上記目的を達成するため、本発明の開閉部材のロック装置は、被取付部材の開口部に開閉可能に取付けられるものであって、前記被取付部材又は前記開閉部材の一方に取付けられるハウジングと、このハウジングに回転可能に取付けられるロータと、該ロータに取付けられると共に、同ロータに連動してスライドし、前記被取付部材又は前記開閉部材の他方の係合部に係脱するロッドと、前記ロータに設けられた受部と、前記ロッドを前記係合部に向けて係合するように、前記ロータを直接又は前記ロッドを介して回動付勢するリターンスプリングと、前記ハウジングに回動可能に取付けられ、その一端が把持部をなすノブと、該ノブの他端に形成されて、前記受部に所定の掛かり代で重なり、前記ノブの把持部を引くことにより前記受部を押圧し、前記リターンスプリングの付勢力に抗して前記ロータを回転させて、前記ロッドを前記係合部から引き出す押圧子とを備え、前記ロッドが前記係合部に係合した状態で、前記ノブの回動中心は、前記受部と前記押圧子との接点よりも、前記ノブの把持部側に位置するように設定されていることを特徴とする。【００１０】
本発明の開閉部材のロック装置においては、前記ハウジングに対して前記ノブを引いて前記係合部から前記ロッドを引き出すとき、前記受部に対する前記押圧子の掛かり代が、前記ロッドが前記係合部に係合した初期状態での掛かり代よりも減少しない回動範囲内で、前記ノブの回動が停止すると共に、前記係合部から前記ロッドが引き出されるように構成されていることが好ましい。【００１１】
本発明の開閉部材のロック装置においては、前記ハウジングに対して前記ノブを引いて前記係合部から前記ロッドを引き出すとき、前記受部と前記押圧子との接点が、前記ノブの回動中心を通り前記ロータの回転軸と平行な線を越えない回動範囲内で、前記ノブの回動が停止すると共に、前記係合部から前記ロッドが引き出されるように構成されていることが好ましい。【００１２】
本発明の開閉部材のロック装置においては、前記ノブには、円弧状溝が形成され、前記ハウジングには、該円弧状溝に挿入される、円弧状又は複数のピン状の突起が形成されており、前記ノブは、前記円弧状溝に挿入された前記突起によりガイドされながら、前記円弧状溝の円弧の中心を回動中心にして回動するように構成されていることが好ましい。【００１３】
本発明の開閉部材のロック装置においては、前記ノブには、キーシリンダが回動可能に装着されており、前記キーシリンダの先端には前記キーシリンダの回動中心に対して偏心して突出した突起が設けられ、該突起は、所定の回動位置で前記ハウジングのロック部に係合して、前記ノブを引くことができなくなるように構成されており、前記ハウジングのロック部は、前記ロータに隣接した位置に配置されていることが好ましい。
【発明の効果】
【００１４】
本発明によれば、被取付部材の開口部を開閉部材で閉じると、リターンスプリングによりロータが回動付勢され、それに連同してロッドが係合部に係合するので、開口部を開閉部材で閉じた状態にロックすることができる。一方、このロック状態でノブを引くと、ロータの受部がノブの押圧子に押圧されて、リターンスプリングの付勢力に抗して回転し、係合部からロッドが引き出されるので、開閉部材のロック解除がなされて、被取付部材の開口部を開くことができる。【００１５】
そして、前記ロッドが前記係合部に係合した状態で、ノブの回動中心は、受部と押圧子との接点よりも、ノブの把持部側に位置するように設定されているので、ノブの引き操作に伴って、ロータの受部とノブの押圧子との掛かり代を次第に増大させることができる。その結果、ロータの受部とノブの押圧子との掛かり代を確保して、受部から押圧子が外れることを防止しつつ、装置を薄くコンパクトにすることができる。
【図面の簡単な説明】
【００１６】
【図１】本発明に係る開閉部材のロック装置の、一実施形態を示す分解斜視図である。
【図２】同ロック装置の、図１とは異なる方向から見た場合の分解斜視図である
【図３】同ロック装置を構成するハウジングを示しており、（ａ）はその斜視図、（ｂ）は（ａ）とは異なる方向から見た場合の斜視図である。
【図４】同ロック装置を構成するロータを示しており、（ａ）はその斜視図、（ｂ）は（ａ）とは異なる方向から見た場合の斜視図である。
【図５】同ロック装置を構成するノブを示しており、（ａ）はその斜視図、（ｂ）は（ａ）とは異なる方向から見た場合の斜視図である。
【図６】同ロック装置を示しており、（ａ）はその斜視図、（ｂ）は（ａ）とは異なる方向から見た場合の斜視図である。
【図７】同ロック装置を示しており、（ａ）はその背面図、（ｂ）は平面図である。
【図８】同ロック装置の断面図である。
【図９】同ロック装置において、ノブを引く前の初期状態を示す説明図である。
【図１０】同ロック装置において、ノブを引いた状態を示す説明図である。
【図１１】同ロック装置において、押圧子の回動軌跡や、受部と押圧子との掛かり代等を説明するための、説明図である。
【図１２】従来の、サイドロック装置を示す説明図である。
【発明を実施するための形態】
【００１７】
以下、本発明に係る開閉部材のロック装置の一実施形態について説明する。
【００１８】
図９及び図１０に示すように、この実施形態における開閉部材のロック装置１０（以下、「ロック装置１０」）は、車両のインストルメントパネルに設けられたグローブボックス（本発明における「被取付部材」）の図示しない開口部に、開閉可能に取付けられるリッド７（本発明における「開閉部材」）を開閉ロックするために用いられる。
【００１９】
図１及び図２に示すように、このロック装置１０は、前記リッド７の取付孔８（図９，１０参照）に取付けられるハウジング２０と、このハウジング２０に回転可能に取付けられるロータ５０と、このロータ５０に取付けられ、グローブボックスの開口部に設けられた図示しない係合孔（本発明における「係合部」）に係脱する左右一対のロッド６０，６１と、前記ロータ５０に設けられた受部５５と、前記一対のロッド６０，６１を前記係合孔に向けて係合するように、前記ロータ５０を直接又は前記ロッド６０，６１を介して回動付勢するリターンスプリング５８と、前記ハウジング２０に回動可能に取付けられ、その一端が把持部７３をなすノブ７０と、前記ノブ７０の他端に形成されて、前記受部５５に所定の掛かり代Ｌ（図９，１０参照）で重なり、前記ノブ７０の把持部７３を引くことにより前記受部５５を押圧し、前記リターンスプリング５８の付勢力に抗して前記ロータ５０を回転させて、前記ロッド６０，６１を図示しない係合孔から引き出す押圧子７７と、前記ノブ７０の他端部及び前記ハウジング２０の間に介装され、同ノブ７０をハウジング２０から離れる方向に付勢するノブ付勢スプリング８０と、前記ノブ７０に回動可能に取付けられると共に突起９５を有し、ハウジング２０に対してノブ７０を回動自在又は回動不能にロックするキーシリンダ９０とを備えている。
【００２０】
図３を併せて参照すると、前記ハウジング２０は、所定方向に長く伸びる矩形箱状をなし、横長の底部２１と、該底部２１の長辺から立設した側壁２２，２２と、前記底部２１の短辺から立設した側壁２３，２４と、側壁２３及び側壁２２，２２の一側部に連結されたロータ取付壁２５とを有している。また、側壁２２,２２及び側壁２３で囲まれ、前記ロータ取付壁２５に隣接する空間部分は、キーシリンダ９０が収容されるシリンダ収容空間２７をなしている。
【００２１】
図３（ａ）に示すように、前記ロータ取付壁２５には、ハウジング２０の短辺方向中央であって、前記シリンダ収容空間２７寄りに偏心した位置に、ロータ５０を回転支持するための、鍵孔状のロータ軸孔２８が形成されている。また、ロータ取付壁２５のロータ軸孔２８に隣接した位置には、ノブ７０の押圧子７７が揺動可能に挿入される、押圧子移動孔３０が形成されている。更に、ロータ取付壁２５の表面側であって、前記ロータ軸孔２８に対して前記押圧子移動孔３０とは反対側の位置には、前記ノブ付勢スプリング８０の一端を保持するための、スプリング保持凹部３１及びスプリング支持突起３１ａが形成されている。
【００２２】
図３（ｂ）に示すように、底部２１の前記ロータ取付壁２５の裏側には、前記ロータ軸孔２８を中心として円形状をなしたロータ収容凹部３３が形成されている。このロータ収容凹部３３内には、所定隙間を介して同心状に円筒壁３４が形成されている。また、前記ロータ収容凹部３３の内側であって、前記ロータ取付壁２５の裏面側からは円弧状壁３５が突設されており、この円弧状壁３５と前記円筒壁３４との間には回転規制壁３６が形成されている。
【００２３】
更に、底部２１の裏側であって、前記シリンダ収容空間２７に対応する位置には、キーシリンダ９０の突起９５が挿入されるキー溝３７が形成されている（図３（ｂ）参照）。このキー溝３７は、ハウジング２０の長辺方向に沿って伸びると共に、キーシリンダ９０の突起９５がスライド可能に挿入されて、ノブ７０を回動可能とする長溝状の開放部３８と、この開放部３８の前記ロータ収容凹部３３側の端部から、ハウジング２０の長辺方向に向けて円弧状に伸びると共に、前記突起９５が挿入されたとき、ノブ７０を回動不能にロックする円弧溝状のロック部３９とを有している。すなわち、ロック部３９は、ロータ収容凹部３３に収容されるロータ５０に隣接した位置に設けられている。また、底部２１の前記側壁２４の周縁からは、リッド７の取付孔８（図９，１０参照）の裏側周縁に係合する係合爪部４０が突出している。更に、底部２１のシリンダ収容空間２７側であって、側壁２２，２２の周縁には、ロッド６０，６１のスライドガイドをなすガイド突起４１，４１がそれぞれ突設されている。
【００２４】
また、各側壁２２には、その長手方向ほぼ中央に、コ字状スリット４３ａを介して撓み可能で且つ取付孔８に裏側周縁に係合する係合爪４３がそれぞれ形成されていると共に、その両側に取付孔８の表側周縁に係合する複数の突片４４，４４が形成されている。更に、各側壁２２の前記底部２１とは反対側の縁部には、前記ロータ軸孔２８に近接する位置から、前記シリンダ収容空間２７に向けて、円弧状の突起４５が形成されており、この突起４５がノブ７０を回動可能に支持する部分となっている。なお、この実施形態の突起４５は円弧状をなしているが、複数のピン状であってもよい。
【００２５】
図３（ａ）に示すように、前記側壁２４の高さ方向中央には、長孔状のノブ回動規制孔４６が形成されている。また、側壁２４と側壁２２との間の角部には、緩衝材取付孔４７が形成されており、ゴム等の弾性部材からなる緩衝材４８が取付けられている（図１参照）。
【００２６】
上記ハウジング２０に回転可能に取付けられるロータ５０は、図１、２及び図４に示すように、前記ハウジング２０のロータ収容凹部３３に収容される円形状の本体５１と、該本体５１の表側中心から突設し、前記ロータ軸孔２８に挿入されて軸支される回転軸５２と、前記本体５１の裏側の周方向に対向した位置から突設し、ロッド６０，６１を取付ける一対のロッド取付部５３，５３と、前記本体５１の表側から突出し、ノブ７０の押圧子７７に押圧される円柱状の受部５５とから主として構成されている。また、このロータ５０は、リターンスプリング５８により、所定方向、ここでは図６（ｂ）の矢印Ｂ方向に回動付勢されるようになっている。なお、リターンスプリングとして、ロッド６０，６１の少なくとも一方を突出方向に付勢するものを用いることもできる。
【００２７】
図４（ａ）に示すように、前記本体５１は、その外周に二重円筒壁が形成されており、それらの間に環状溝５１ａが設けられている。また、前記回転軸５２の先端部には、鍵孔状をなした前記ロータ軸孔２８に対応して、突部５２ａが突設されている。更に、図４（ａ），（ｂ）に示すように、本体５１の、前記回転軸５２の突部５２ａに近接した位置には、コ字状スリット５７を介して撓み可能な回転規制爪５６が形成されている。
【００２８】
図１及び図２に示すように、ロッド６０，６１は、その基端部に取付凹部６３がそれぞれ設けられており、これらに上記ロータ５０のロッド取付部５３，５３が挿入されて、ロッド６０，６１が取付けられるようになっている。そして、リターンスプリング５８により、図６（ｂ）の矢印Ｂ方向に回動付勢されたロータ５０を介して、ロッド６０，６１の先端部が、グローブボックスの開口部の図示しない係合孔に、常時係合するようにリッド７の両側縁部から押し出されるようになっている。各ロッド６０，６１の取付凹部６３に隣接した位置には、前記ガイド突起４１がスライド可能に挿入されるガイド溝６５が長手方向に沿って形成されている。
【００２９】
図１，２及び図５を参照すると、ハウジング２０に回動可能に取付けられるノブ７０は、横長の矩形箱状をなした前記ハウジング２０に対応して、左右方向に長く伸びる横長の正面壁７１と、この正面壁７１の長手方向両側から突出した側壁７２，７２とを有しており、このノブ７０の正面壁７１の長手方向一端側が把持部７３をなしている。また、側壁７２，７２の一端側には、連結壁７４が直交して連結されており、側壁７２，７２の剛性を高めると共に、ノブ７０を回動させていない状態で、前記ハウジング２０のノブ回動規制孔４６を覆い隠す部分となっている（図８参照）。
【００３０】
また、両側壁７２，７２の長手方向他端側には、円弧状溝７５がそれぞれ形成されている。これらの円弧状溝７５に、前記ハウジング２０の円弧状をなした突起４５がそれぞれ挿入されて、ハウジング２０にノブ７０が回動可能に取付けられるようになっている。このノブ７０は、図９及び図１０に示すように、円弧状溝７５に挿入された円弧状の突起４５によりガイドされながら、円弧状溝７５の円弧の中心を回動中心Ｃ１として、回動するようになっている。
【００３１】
更に、前記正面壁７１の裏側であって、前記円弧状溝７５よりも長手方向他端寄りの位置には、ロータ５０の受部５５を押圧する押圧子７７と、ノブ付勢スプリング８０の他端を保持するスプリング支持突部７８とが並列して突設されている。図９及び図１０に示すように、前記押圧子７７は、ロータ５０の受部５５に所定の掛かり代Ｌ（受部５５に対して押圧子７７が重なる長さを意味する）で重なり、ノブ７０の把持部７３を、ハウジング２０から離れる方向に引くことにより（図１０参照）、前記受部５５を押圧して、前記リターンスプリング５８の付勢力に抗して前記ロータ５０を回転させ、前記ロッド６０，６１の各先端部を、グローブボックスの開口部の図示しない係合孔から引き出すものとなっている。なお、押圧子７７の受部５５に対する接触面７７ａは平面状をなしている。
【００３２】
また、ノブ７０の前記正面壁７１には、前記回動中心Ｃ１よりも把持部７３に寄った位置であって、ノブ７０をハウジング２０に取付けたときに、ハウジング２０の底部２１に設けられたキー溝３７に整合する位置に、キーシリンダ挿入孔８１が形成されている。また、図５（ｂ）に示すように、正面壁７１の裏側であって、前記キーシリンダ挿入孔８１の周縁からは、キーシリンダ保持壁８２が突設している。更にキーシリンダ保持壁８２の先端部であって、把持部７３寄りの位置からは、前記ハウジング２０のノブ回動規制孔４６の孔縁に係合して、ノブ７０の回動規制を図るストッパ爪８３が設けられている（図１０参照）。
【００３３】
そして、ロッド６０，６１の各先端部が、グローブボックスの図示しない係合孔に係合した状態で、図９に示すように、ノブ７０の回動中心Ｃ１の軸心方向から見たときに、ノブ７０の回動中心Ｃ１は、ロータ５０の受部５５とノブ７０の押圧子７７との接点Ｐよりも、ノブ７０の把持部７３側に位置するように設定されている。
【００３４】
更に、受部５５に対する押圧子７７の掛かり代Ｌ、又は、受部５５と押圧子７７との接点Ｐは、次のように設定されていることが好ましい。これについて図１１を参照して説明する。この図１１には、回動中心Ｃ１を中心にして回動するノブ７０の、押圧子７７の回動軌跡Ｔが示されている。また、ロッド６０，６１の先端部が、グローブボックスの開口部の図示しない係合孔に係合した初期状態における、受部５５に対する押圧子７７の掛かり代Ｌの寸法基準点から、ロータ５０の回転中心Ｃ２に対して直交する線が、符号Ｓ（以下、掛かり代線Ｓ）で示されている。なお、前記回動軌跡Ｔにおいて、掛かり代線Ｓが交差した部分よりも内周側が、ロッド先端部が係合孔に係合した初期状態よりも掛かり代Ｌが減少する範囲であり、外周側が初期状態よりも掛かり代Ｌが増大する範囲となる。
【００３５】
そして、好ましくは、ハウジング２０に対してノブ７０を引いて、グローブボックスの図示しない係合孔からロッド６０，６１の先端部を引き出すとき、受部５５に対する押圧子７７の掛かり代Ｌが、ロッド６０，６１が、前記係合孔に係合した初期状態での掛かり代Ｌよりも減少しない回動範囲Ｗ１内で、ノブ７０の回動が停止すると共に、前記係合孔からロッド６０，６１の先端部が引き出されるように構成されている。
【００３６】
より好ましくは、ハウジング２０に対してノブ７０を引いて、グローブボックスの図示しない係合孔からロッド６０，６１の先端部を引き出すとき、受部５５と押圧子７７との接点Ｐが、ノブ７０の回動中心Ｃ１を通り、ロータ５０の回転軸（回転中心Ｃ２参照）と平行な線Ｃ３を越えない回動範囲Ｗ２内で、ノブ７０の回動が停止すると共に、前記係合孔からロッド６０，６１の先端部が引き出されるように構成されている。
【００３７】
この実施形態では、ハウジング２０に対してノブ７０を引いて回動させると、図１０に示すように、ノブ７０のストッパ爪８３が、ハウジング２０のノブ回動規制孔４６の孔縁に係合して、ノブ７０の回動規制がなされるようになっており、この状態では、受部５５と押圧子７７との接点Ｐが、ノブ７０の回動中心Ｃ１を通り、ロータ５０の回転軸（回転中心Ｃ２参照）と平行な線Ｃ３よりもやや手前側の回動範囲内で、ノブ７０の回動が停止するようになっている。
【００３８】
上記ノブ７０のキーシリンダ挿入孔８１に挿入され、キーシリンダ保持壁８２により保持されるキーシリンダ９０は、図１及び図２に示すように、ケース９１と、このケース９１内に回動可能に配置されると共に鍵孔９３ａを有する回転体９３と、この回転体９３の先端部であって、その回転中心に対して偏心した位置から突出した突起９５とを有している。前記突起９５は、ハウジング２０のキー溝３７に回動可能に挿入され、同キー溝３７の開放部３８に突起９５が位置するときは（図７（ａ）参照）、ノブ７０の回動時に突起９５が開放部３８内をスライド移動するので、ノブ７０を回動させることができる。一方、ロック部３９に突起９５が位置するときには（図８参照）、ロック部３９に突起９５が係合して、ノブ７０を引くことができなくなるので、ノブ７０が回動不能にロックされるようになっている。
【００３９】
なお、各部材の相対配置関係について説明すると、図９に示すように、ノブ７０の回動中心Ｃ１は、ロータ５０の回転中心Ｃ２に対して直交し、ロータ５０の回動中心Ｃ２よりもノブ７０の把持部７３側に位置している。
【００４０】
また、ノブ７０の押圧子７７は、ノブ７０の回動中心Ｃ１に対して、把持部７３とは反対側に所定距離離れて位置し、ロータ５０側に向けて突出している。この実施例形態では、ノブ７０を回動させずロッド６０，６１の先端部が係合孔に係合した初期状態（図９参照）において、押圧子７７は、ロータ５０の回転中心Ｃ２とほぼ平行に延出されている。
【００４１】
一方、図９に示すようにキーシリンダ９０の回動中心Ｃ４は、ノブ７０を回動させずロッド先端部が係合孔に係合した初期状態において、ロータ５０の回転中心Ｃ２とほぼ平行とされると共に、ノブ７０の回動中心Ｃ１に対して、把持部７３側に所定距離離れて配置されている。
【００４２】
次に上記構成からなる開閉部材のロック装置１０の作用効果について説明する。
【００４３】
上記ロック装置１０は、例えば、次のようにして組み立てられるようになっている。すなわち、ノブ付勢スプリング８０の一端をハウジング２０のスプリング保持凹部３１及びスプリング支持突起３１ａに保持させると共に、他端をノブ７０のスプリング支持突部７８に保持させた状態で、ハウジング２０の円弧状の突起４５，４５を、ノブ７０の円弧状溝７５，７５にそれぞれ挿入する。それにより、ハウジング２０にノブ７０が回動可能に取付けられると共に、ノブ付勢スプリング８０がハウジング２０とノブ７０との間に圧縮状態で介装されて、ノブ７０がハウジング２０から離れる方向に付勢される。
【００４４】
そして、リターンスプリング５８のコイル部５８ａを、ロータ５０の回転軸５２に外装させ、同リターンスプリング５８の脚部５８ｂの一方を、ハウジング２０の円弧状壁３５に係止させ、脚部５８ｂの他方をロータ５０の本体５１に係止させた状態で、ロータ５０の回転軸５２の突部５２ａを、ハウジング２０の鍵孔状のロータ軸孔２８に整合させて、ロータ５０を押し込む。その状態で、リターンスプリング５８の付勢力に抗して、図３（ｂ）の矢印Ａ方向にロータ５０を回転させることにより、回転規制爪５６がハウジング２０の回転規制壁３６を乗り越えて、ロータ軸孔２８に回転軸５２が回転可能に軸支されると共に、ロータ収容凹部３３にロータ５０の本体５１が収容され、その環状溝５１ａにハウジング２０の円筒壁３４が挿入されて（図８参照）、ハウジング２０にロータ５０が抜け止めされた状態で、回転可能に取付けられるようになっている。こうして、ハウジング２０にノブ７０及びロータ５０が組付けられることとなる。なお、この状態でロータ５０は、リターンスプリング５８の付勢力によって、図６（ｂ）の矢印Ｂ方向に回動付勢されるようになっている。また、ロータ５０を矢印Ｂ方向にそれ以上回動させても、ロータ５０の回転規制爪５６がハウジング２０の回転規制壁３６に当接して、ロータ５０の回転が規制されるようなっている。
【００４５】
そして、リッド７の取付孔８（図９参照）に、ノブ７０及びロータ５０が組付けられたハウジング２０を裏側から挿入して、その係合爪部４０を取付孔８の裏側周縁に引き掛けた後、ハウジング２０を押し込んで、取付孔８の裏側周縁に係合爪部４０及び係合爪４３，４３を係合させると共に、取付孔８の表側周縁に複数の突片４４をそれぞれ係合させることで、図９に示すように、ノブ７０及びロータ５０が組付けられたハウジング２０を、リッド７の取付孔８に取付けることができる。その後、ロッド６０，６１の取付凹部６３に、ロータ５０のロッド取付部５３，５３をそれぞれ挿入することで、一対のロッド６０，６１が、ロータ５０の回転中心Ｃ２（図１１参照）を中心として、点対称な位置に配設される。このロッド６０，６１は、リターンスプリング５８で回動付勢されたロータ５０によって、その先端部がグローブボックスの開口部の図示しない係合孔に向けて、リッド７の両側縁部から押し出されるようになっている。
【００４６】
そして、グローブボックスの図示しない開口部を閉じるべくリッド７を押し込むと、ロッド６０，６１の図示しない各先端部の背面側の、テーパ状をなしたテーパ部が、グローブボックスの開口部周縁に押圧されて、リターンスプリング５８の付勢力に抗して内方にスライドし、各先端部が開口部の図示しない係合孔に至ると、再度リターンスプリング５８によりロータ５０が回動付勢されて、ロッド６０，６１の各先端部が前記係合孔にそれぞれ係合して、グローブボックスの図示しない開口部をリッド７によって閉じた状態にロックすることができる。
【００４７】
この状態が図９に示されている。ここでキーシリンダ９０の鍵孔９３ａに図示しないキーを差し込んで、ケース９１に対して回転体９３を回転させて、突起９５をハウジング２０のキー溝３７のロック部３９に挿入させて係合させることで、ハウジング２０に対してノブ７０が回動しないようにロックすることができる（図６（ｂ）及び図８参照）。
【００４８】
このとき、上記ロック部３９は、ハウジング２０の底部２１の、ロータ５０に隣接した位置に設けられているので、ロック部３９の位置をノブ７０の回動中心Ｃ１に近づけることができ、ノブ７０の回動角度の変化に対するキーシリンダ９０の突起９５とロック部３９との当接部の移動量が小さくなるので、キーシリンダ９０の突起９５が比較的短くてもロック部３９に確実に係合させることができ、その結果、キーシリンダ９０の突起９５の長さを短くして、ハウジング２０の厚みを薄くして、ロック装置１０のコンパクト化を図ることができる。
【００４９】
一方、ハウジング２０に対してノブ７０が回動しないようにロックされた状態から、同ロック状態を解除する場合には、前記鍵孔９３ａにキーを差し込み、回転体９３を回転させて、その突起９５をキー溝３７の開放部３８に位置させることで、ノブ７０を回動可能とすることができる（図７（ａ）参照）。この状態で、把持部７３を把持して、ノブ７０をハウジング２０に対して離れる方向に引くと、ロータ５０の受部５５がノブ７０の押圧子７７に押圧されて、リターンスプリング５８の付勢力に抗してロータ５０が回転し、グローブボックスの前記係合孔からロッド６０，６１の各先端部が引き込まれて、グローブボックスの図示しない開口部からリッド７を開くことができる。
【００５０】
そして、このロック装置１０においては、ロッド６０，６１の各先端部が、グローブボックスの図示しない係合孔に係合した状態で、図９に示すように、ノブ７０の回動中心Ｃ１は、受部５５と押圧子７７との接点Ｐよりも、ノブ７０の把持部７３側に位置するように設定されているので、図１０に示すように、ノブ７０の引き操作に伴って、ロータ５０の受部５５に対するノブ７０の押圧子７７の掛かり代Ｌを、次第に増大させることができる。その結果、受部５５に対する押圧子７７の掛かり代Ｌを確保することができるので、受部５５から押圧子７７が外れることを防止して、ロータ５０を確実に回動させることができると共に、押圧子７７や受部５５を長く形成する必要がなく、ノブ７０やロータ５０をなるべく薄くすることができ、ロック装置１０を薄くコンパクトにすることができる。
【００５１】
また、ハウジング２０に対してノブ７０を引いて、グローブボックスの開口部の図示しない係合孔からロッド６０，６１の先端部を引き出すとき、受部５５に対する押圧子７７の掛かり代Ｌが、ロッド６０，６１が、前記係合孔に係合した初期状態での掛かり代Ｌよりも減少しない回動範囲Ｗ１内で、ノブ７０の回動が停止すると共に、前記係合孔からロッド６０，６１の先端部が引き出されるように構成されている場合には（図１１参照）、ノブ７０の引き操作に伴って、受部５５に対する押圧子７７の掛かり代Ｌを、初期状態の掛かり代Ｌよりも減少させずに、前記係合孔からロッド６０，６１の各先端部を引き出すことができ、受部５５から押圧子７７が外れることをより確実に防止できる。
【００５２】
更に、ハウジング２０に対してノブ７０を引いて、グローブボックスの開口部の図示しない係合孔からロッド６０，６１の先端部を引き出すとき、受部５５に対する押圧子７７の掛かり代Ｌが、ロッド６０，６１が、前記係合孔に係合した初期状態での掛かり代Ｌよりも減少しない回動範囲Ｗ２内で、ノブ７０の回動が停止すると共に、前記係合孔からロッド６０，６１の先端部が引き出されるように構成されている場合には（図１１参照）、ノブ７０の引き操作に伴って、受部５５に対する押圧子７７の掛かり代Ｌが、初期状態の掛かり代Ｌより増大する過程で、前記係合孔からロッド６０，６１の各先端部を引き出すことができ、受部５５から押圧子７７が外れることを更に確実に防止できる。
【００５３】
また、この実施形態では、ノブ７０に円弧状溝７５が形成され、この円弧状溝７５の円弧の中心を回動中心Ｃ１にして、ノブ７０が回動するように構成されているので（図９及び図１０参照）、ノブ７０の表面側に回動中心を設けて、ロック装置１０の全体を更に薄型化することができる。
【００５４】
なお、以上の実施形態では、開閉部材であるリッド７にロック装置１０を取付けているが、被取付部材であるグローブボックス等にロック装置１０を取付けることもでき、特に限定されない。また、本実施形態のロック装置は、グローブボックスの開口部に、リッド７が開閉可能に取付けられた構造に適用したが、例えば、インストルメントパネルの開口部に、ボックス状のグローブボックスが開閉可能に取付けられた構造や、インストルメントパネルの開口部にリッドが開閉可能に取付けられた構造等に適用してもよく（この場合、インストルメントパネルが本発明の「被取付部材」をなし、グローブボックスやリッドが本発明の「開閉部材」をなす）、開口部を有する被取付部材に広く用いることができる。また、上記実施形態では、ロッドが係合する「係合部」は、グローブボックスの開口部に設けられた図示しない係合孔としたが、例えば、開口部の周縁部等であってもよく、ロッドが係合可能な部分であればよい。
【符号の説明】
【００５５】
１０  開閉部材のロック装置（ロック装置）
２０  ハウジング
３９  ロック部
５０  ロータ
５５  受部
５８  リターンスプリング
６０，６１  ロッド
７０  ノブ
７３  把持部
７５  円弧状溝
７７  押圧子
８０  ノブ付勢スプリング
９０  キーシリンダ
９５  突起
【図１】
0005627055.tif 000002
【図２】
0005627055.tif 000003
【図３】
0005627055.tif 000004
【図４】
0005627055.tif 000005
【図５】
0005627055.tif 000006
【図６】
0005627055.tif 000007
【図７】
0005627055.tif 000008
【図８】
0005627055.tif 000009
【図９】
0005627055.tif 000010
【図１０】
0005627055.tif 000011
【図１１】
0005627055.tif 000012
【図１２】
0005627055.tif 000013